【事件の表示】
　　特許第６１４４５０６号発明「容器体」の特許異議申立事件について、次のとおり決定する。
【結　論】
　特許第６１４４５０６号の特許請求の範囲を訂正請求書に添付された訂正特許請求の範囲のとおり、訂正後の請求項〔１−６〕について訂正することを認める。
　特許第６１４４５０６号の請求項１、３〜６に係る特許を維持する。
　特許第６１４４５０６号の請求項２に係る特許についての特許異議の申立てを却下する。
【理　由】
１．手続の経緯 
　特許第６１４４５０６号の請求項１〜６に係る特許についての出願は、平成２５年２月２６日を出願日とする特許出願であって、平成２９年５月１９日にその特許権の設定登録（特許掲載公報発行　平成２９年６月７日）がされた。 
　その後、請求項１〜６に係る特許について、平成２９年１２月５日に、特許異議申立人中澤佳樹（以下、「申立人」という。）により特許異議の申立てがなされ、平成３０年３月２７日付けで取消理由が通知され、平成３０年５月２７日に意見書び訂正請求書が提出され、平成３０年６月１２日付けで申立人に対し、前記訂正請求書による訂正の請求があった旨の通知がなされ、平成３０年７月１３日に申立人から意見書（以下、「申立人意見書１」という。）が提出され、平成３０年９月２８日付けで取消理由（決定の予告）が通知され、平成３０年１２月３日に意見書及び訂正請求書が提出され、平成３０年１２月６日付けで申立人に対し、前記訂正請求書による訂正の請求（以下、「本件訂正請求」という。）があった旨の通知がなされ、平成３１年１月１０日に申立人から意見書（以下、「申立人意見書２」という。）が提出された。
　
　なお、平成３０年５月２７日になされた訂正の請求は、特許法第１２０条の５第７項の規定により、取り下げられたものとみなす。
　
２．本件訂正請求についての判断 
（１）訂正の内容 
　本件訂正請求による訂正の内容は以下のとおりである。 
ア．訂正事項１ 
　特許請求の範囲の請求項１に、 
「前記傾斜角変更部の位置は、前記容器体の下端から高さ２０ｍｍ以下の範囲内にある」とあるのを、 
「前記傾斜角変更部の位置は、前記容器体の下端から高さ２０ｍｍ以下の範囲内にあ
り、
　前記下部傾斜角は、３°〜４°の範囲内にあり、かつ、前記上部傾斜角は、６°〜７°の範囲内にあり、かつ、前記上部傾斜角から前記下部傾斜角を差し引いた値は、３°〜４°の範囲内にある
　
イ．訂正事項２ 
　特許請求の範囲の請求項２を削除する。
　
ウ．訂正事項３
　特許請求の範囲の請求項３に、 
「ことを特徴とする請求項１又は２記載の容器体」とあるのを、 
「ことを特徴とする請求項
１
　
エ．訂正事項４
　特許請求の範囲の請求項４に、 
「ことを特徴とする請求項１又は２記載の容器体」とあるのを、 
「ことを特徴とする請求項
１
　
オ．訂正事項５
　特許請求の範囲の請求項５に、 
「ことを特徴とする請求項１乃至４のいずれか１記載の容器体」とあるのを、 
「ことを特徴とする請求項
１、３、又は４
　
カ．訂正事項６
　特許請求の範囲の請求項６に、 
「ことを特徴とする請求項１乃至５のいずれか１記載の容器体」とあるのを、 
「ことを特徴とする請求項
１、３、４、又は５
　
（２）訂正の適否 
ア．一群の請求項 
　訂正前の請求項１及び請求項１を引用する請求項２〜６は、特許法第１２０条の５第４項に規定する一群の請求項であり、訂正事項１〜６による訂正は当該一群の請求項１〜６に対し請求されたものである。 
　
イ．訂正事項１について 
　訂正事項１は、訂正前の請求項１の「下部傾斜角」、「上部傾斜角」及び「下部傾斜角」と「上部傾斜角」の大きさの関係について、本件特許明細書の段落【００４２】及び【００５５】の「下部傾斜角θ１の値としては、２°〜７°の範囲内にあることが好ましく、さらに好ましい値は３°〜４°である。下部傾斜角θ１の値が２°以上であれば、キャビティからの容器体１の離形性をよくすることができるという利点がある。下部傾斜角θ１の値が３°以上であると、この効果がより顕著になる。また、下部傾斜角θ１の値が７°以下であれば、容器体１の上部が下部に比べて必要以上に大きくなるのを抑え、載置面ＧＲに載置する際の容器体１の安定性をよくすることができるという利点がある。下部傾斜角θ１の値が４°以下であると、この効果がより顕著になる。」との記載、段落【００４３】及び【００５６】の「また、上部傾斜角θ２の値としては、４°〜８°の範囲内にあることが好ましく、さらに好ましい値は６°〜７°である。上部傾斜角θ２の値が４°以上であれば、複数の容器体１を積み重ねた容器体積層ブロック１０の高さを低く抑えることができるという利点がある。上部傾斜角θ２の値が６°以上であると、この効果がより顕著になる。上部傾斜角θ２の値が８°以下であれば、容器体１の上部が下部に比べて必要以上に大きくなるのを抑え、載置面ＧＲに載置する際の容器体１の安定性をよくすることができるという利点がある。上部傾斜角θ２の値が７°以下であると、この効果がより顕著になる。」との記載並びに段落【００４４】の「上部傾斜角θ２から下部傾斜角θ１を差し引いた値である変更角φの範囲は１°〜５°が好ましく、さらに好ましい値は３°〜４°である。変更角φが１°以上であると、外面突起部６及び内面突起部７の高さを共に低く設定することができるという利点がある。変更角φが３°以上であると、この効果がより顕著になる。変更角φが５°以下であると、容器体積層ブロック１０のスタック時における容器体１のブロッキング（最下部に位置する容器体１が抜き取られるのを抑えること）を防止し、小さな力で最下部に位置する容器体１の抜き取りを可能とすることができるという利点がある。変更角φが４°以下であると、この効果がより顕著になる。」との記載に基いて、「下部傾斜角は、３°〜４°の範囲内にあ」ること、「上部傾斜角は、６°〜７°の範囲内にあ」ること及び「上部傾斜角から前記下部傾斜角を差し引いた値は、３°〜４°の範囲内にある」ことを限定して特定するものである。 
　ゆえに、訂正事項１による訂正は、特許法第１２０条の５第２項ただし書第１号に掲げる特許請求の範囲の減縮を目的とするものであって、本件特許明細書に記載した事項の範囲内においてされたものであり、実質上特許請求の範囲を拡張し、又は変更するものではないから、特許法第１２０条の５第９項において準用する同法第１２６条第５項及び第６項の規定に適合する。 
ウ．訂正事項２について 
　訂正事項２による訂正は、訂正前の請求項２を削除するものであるから、特許法第１２０条の５第２項ただし書第１号に掲げる特許請求の範囲の減縮を目的とし、新規事項の追加に該当せず、また、実質上特許請求の範囲を拡張し、又は変更するものではないから、特許法第１２０条の５第９項において準用する同法第１２６条第５項及び第６項の規定に適合する。
　
エ．訂正事項３〜６について 
　訂正事項３〜６による訂正は、いずれも、上記訂正事項２により削除された請求項２を引用しないものとするものであって、上記削除された請求項２を引用するという不合理が生ずる記載を正すものであるから、特許法第１２０条の５第２項ただし書第３号に掲げる明瞭でない記載の釈明を目的とし、新規事項の追加に該当せず、また、実質上特許請求の範囲を拡張し、又は変更するものではないから、特許法第１２０条の５第９項において準用する同法第１２６条第５項及び第６項の規定に適合する。
　
（３）むすび 
　以上のとおりであるから、本件訂正請求による訂正は特許法第１２０条の５第２項ただし書第１号及び第３号に掲げる事項を目的とするものであり、かつ、同条第４項並びに同条第９項において準用する同法第１２６条第５項及び第６項の規定に適合するので、訂正後の請求項〔１−６〕について訂正を認める。 
　
３．特許異議の申立てについて  
（１）本件発明  
　上記２．のとおり訂正が認められるから、本件特許の請求項１〜６に係る発明（以下「本件発明１〜６」という。）は、本件訂正請求書に添付した訂正特許請求の範囲の請求項１〜６に記載された事項により特定される、以下のとおりのものである。 
【請求項１】
　底面となる平面部と、 
　前記平面部の縁に沿って無端状に連続すると共に当該平面部との間で対象物を収容するための収容凹部を形成する側面部と、を備え、 
　前記側面部の外面の下部に、外側へ突出すると共に前記平面部の縁が伸びる方向へ延在された外面突起部を設け、 
　前記側面部の内面の下部であって、同一の他の容器体を前記収容凹部内に挿入して当該他の容器体の外面突起部を乗り越えさせることにより当該外面突起部と係合可能な内面突起部を設け、 
　さらに、前記挿入によって重ね合わされた２つの容器体の平面部間に所定の隙間を設定して位置決めする位置決め部を設け、 
　前記側面部に、前記側面部の傾斜角を変更させる傾斜角変更部を設け、 
　前記傾斜角変更部より下に下部傾斜角を設定し、 
　前記傾斜角変更部より上に上部傾斜角を設定し、 
　前記内面突起部を、前記下部傾斜角を設定した部分に設け、 
　前記傾斜角変更部の位置は、前記容器体の下端から高さ２０ｍｍ以下の範囲内にあり、 
　前記下部傾斜角は、３°〜４°の範囲内にあり、かつ、前記上部傾斜角は、６°〜７°の範囲内にあり、かつ、前記上部傾斜角から前記下部傾斜角を差し引いた値は、３°〜４°の範囲内にある
　ことを特徴とする容器体。 
【請求項２】
　（削除）
【請求項３】
　前記外面突起部及び前記内面突起部は、前記平面部の縁に沿って無端状に連続して形成された一つの連続突起部である 
　ことを特徴とする請求項１記載の容器体。 
【請求項４】
　前記外面突起部及び前記内面突起部は、前記平面部の縁に沿って適当な長さに延在されて形成された二以上の部分突起部である 
　ことを特徴とする請求項１記載の容器体。 
【請求項５】
　前記外面突起部及び前記内面突起部の断面形状は、任意の曲率半径を有する半円形突起、円弧状突起又は三角形突起からなる 
　ことを特徴とする請求項１、３、又は４のいずれか１記載の容器体。 
【請求項６】 
　前記側面部は、前記平面部の前記収容凹部と反対側に突出するスカート部を有し、 
　前記スカート部の先端側に前記外面突起部を設けた 
　ことを特徴とする請求項１、３、４又は５のいずれか１記載の容器体。 
　
（２）取消理由（決定の予告）の概要 
　当審において通知した取消理由（決定の予告）の概要は、以下のとおりである。 
　
理由１  
　本件発明１、２、４〜６は、下記の甲１〜甲３からみて、その出願前に日本国内又は外国において、公然実施をされた、下記の検甲１製品により具現化された発明（以下、「検甲１発明」という。）であるから、特許法第２９条第１項第２号に該当し特許を受けることができない。  
　
理由２  
　本件発明１〜６は、その出願前に日本国内又は外国において、公然実施をされた検甲１発明及びその出願前日本国内または外国において頒布された下記の甲４〜甲１０に記載された発明に基いて、その出願前にその発明の属する技術の分野における通常の知識を有する者が容易に発明をすることができたものであるから、特許法第２９条第２項の規定により特許を受けることができない。  
　
　　　　　　記  
《証拠》  
検甲１．「明治ブルガリアヨーグルト　脂肪０　ブルーベリー」の容器
甲１．中澤佳樹，「写真撮影報告書」，平成２９年１１月３０日
甲２．「２０１２　商品のご案内 product catalog」，株式会社明治，２０１２年４月
甲３．地方独立行政法人　東京都立産業技術研究センター，「報告書」，平成２９年１１月２９日
甲４．特開昭５３−１３７７８７号公報
甲５．埼玉県産業技術総合センター，「試験成績書」，平成３０年７月５日
甲６．プレスリリース「本場ブルガリアの乳酸菌で作った脂肪０タイプのフルーツヨーグルト「明治ブルガリアヨーグルト　脂肪０（１８０ｇ）」シリーズ　ブルーベリー／ストロベリー／５種類の果実ミックス／アロエ　新発売」，［online］，株式会社明治，［平成３０年７月３日検索］，インターネット
＜URL:https://www.meiji.co.jp/corporate/pressrelease/2012/detail/20120406_01.html＞
甲７．ニュース「（株）明治とＪＯＣオフィシャルパートナーシップ契約に合意」，［online］，ＪＯＣ，［平成３０年７月３日検索］，インターネット
＜URL:https://www.joc.co.jp/news/detail.html?id=1710＞
甲８．「２０１３　商品のご案内 product catalog」，株式会社明治，２０１３年４月
甲９．「２０１４　商品のご案内 product catalog」，株式会社明治，２０１４年４月
甲１０．「２０１５　商品のご案内 product catalog」，株式会社明治，２０１５年４月
　
《備考》  
　検甲１製品〜甲４は、特許異議申立書（以下、「申立書」という。）に添付された検甲第１号証〜甲第４号証であり、甲５〜甲１０は、申立人意見書１に添付された甲第５号証〜甲第１０号証である。
・本件発明１、２、４〜６について  
　検甲１発明は、公然と譲渡等の申出がなされていた発明であると認める。　本件発明１、２、４〜６は、検甲１発明であり（理由１）、検甲１発明に基いて、当業者が容易に発明をすることができたものである（理由２）。  
・本件発明３について  
　本件発明３は、検甲１発明及び甲４に記載された事項に基いて、当業者が容易に発明をすることができたものである（理由２）。  
　
（３）当審の判断 
ア．本件発明１について 
（ア）証拠等の記載事項等 
 ａ．甲１（証拠２） 
（ａ）甲１には、（写真１）〜（写真１０）が掲載されている。 
（ｂ）甲１の（写真１）及び（写真４）から、検甲１製品の側面には、「「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、前記領域の右上部分に「たっぷり１８０ｇ」との文字が表示された部分」が表示されていることが把握される。 
　また、甲１の（写真２）から、検甲１製品の上面、すなわち、前記側面の上部にあたる面には、「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、前記領域の右下部分に「たっぷり１８０ｇ」との文字が表示され、前記領域の右上部分に「Ｎｅｗ」との文字が表示された部分」が表示されていることが把握される。 
　
ｂ．甲２（証拠３） 
（ａ）１頁には、「２０１２　商品のご案内 product catalog」及び「明日をもっとおいしく　ｍｅｉｊｉ」と記載されている。 
（ｂ）２頁には、「ＩＮＤＥＸ　目次」及び「２０１２年４月現在　※パッケージ・商品情報は変更の可能性がございます。」と記載されている。 
（ｃ）２７頁（左下隅に「２７」と表記されている頁）の左下部分には、以下の写真が掲載されるとともに、以下の記載事項が記載されている。 
《写真》 
「「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、前記領域の右上部分に「たっぷり１８０ｇ」との文字が表示された部分と、当該部分の上部に、「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、前記領域の右下部分に「たっぷり１８０ｇ」との文字が表示され、前記領域の右上部分に「Ｎｅｗ」との文字が表示されたもの」の写真 
《記載事項》 
「Ｎｅｗ」、「明治　ブルガリアヨーグルト　脂肪０ブルーベリー」、「４９７２　０５３２（短縮）」 
　
ｃ．甲３（証拠４） 
（ａ）１頁には、以下の記載事項が記載されている。 
《記載事項》 
「依頼品　賞味期限　１２．５．３　ヨーグルトサンプル　（４９７２　０５３２）」、「依頼事項　形状、寸法測定」 
（ｂ）２頁には、図１として以下の写真が掲載されるとともに、以下の記載事項が記載されている。 
《写真》 
「「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、前記領域の右下部分に「たっぷり１８０ｇ」との文字が表示され、前記領域の右上部分に「Ｎｅｗ」との文字が表示されたもの」の写真（左側）及び「下側部分にブルーベリーの実等が印字され、上側部分に上下が逆さまとなった「４９７２　０５３２」との文字が印字され、３ｍｍ及び３６．２ｍｍとの文字が付され、点線で囲まれた領域が表示されたもの」の写真（右側） 
《記載事項》 
「１．測定箇所・測定項目　ヨーグルト容器の図１に示す箇所について、図２の断面プロフィルムに示す容器の端から角度が変わる箇所までの長さＬとその角度θを測定した。」、「２．測定結果　表１　測定結果　長さＬ　１５．０１ｍｍ　角度θ　３．４４°」 
　
ｄ．甲４（証拠５） 
　甲４には、図面（特に、Ｆｉｇ．１〜１０）とともに以下の記載事項が記載されている。 
（ａ）「２．特許請求の範囲 
（１）底と側壁とを含んでなるカップであり、他の同一のカップと直立姿勢で積重ね体に組立てられ得て、 
　（ａ）２つの隣接するカップの上方のカップが、引掛り合うことなく下方のカップに支持されている、 
　（ｂ）２つの隣接するカップが、両者の間に空間を画定している、 
　（ｃ）２つの隣接するカップは、予定された軸方向の分離力が２つのカップに加えられない限り、相互に離れる軸方向の変位を制止されている、 
　（ｄ）該空間が、シールまたはニア・シールにより・・・該シールまたはニア・シールが、２つの隣接するカップの一方の周面と、２つのカップの他方の周線または周面との間の協働により与えられている、 
　（ｅ）支持部がシールまたはニア・シールにより、あるいは２つのカップの別々の協働部分によって接続部に設けられている、そして 
　（ｆ）抑止部が、該シールまたはニア・シールにより、あるいは２つのカップの別個の協働部分により与えられている、 
　前記（ａ）〜（ｆ）の状態になるように形成されている前記底と側壁とを含むカップにおいて、・・・ 
　（ｇ）・・・ 
　（ｈ）・・・ことを特徴とする前記カップ。」（１頁左下欄３行〜右下欄１５行） 
（ｂ）「３．発明の詳細な説明 
　自動販売装置で飲料物を売る１つの公知の手順では、かなりの数のカップが、−緒に入れ子式にされて積重ね体とされて装置に供給され・・・使用に際し、カップは、積重ね体の底から１つずつ外され・・・。 
このようなカップは、また、カップが手により１回に１つ除去され得る分配装置（ｄｉｓｐｅｎｓｅｒ）にも使用され得る。 
　本発明は、これらの使用に適するカップに関する。このようなカップは、底および側壁を含んでおり１他の同一のカップとの間で直立姿勢で積重ね体に組立てられ得て・・・（２頁右上欄１３行〜左下欄１０行） 
（ｃ）「第１図に示すカップは・・・それぞれのカップは、底壁２および側壁４を有し、側壁は、底壁から上縁６へ上向き外方向へ広がる基本的な形状を有している。・・・。 
　第１図に示される如き多数の同一のカップが、直立姿勢で積重ね体として一緒に組立てられると、カップの相互係合は、一方のカップの壁部分Ａと他方のカップの壁部分Ｂとの間の協働により起こる。すなわち、部分Ａの内面が、積重ね体の上方の次のカップの部分Ｂの外面と協働し、一方、部分Ｂの外面が、積重ね体の下側の次のカップの部分Ａの内面と協働する。積重ね体となった２つの隣接するカップの積重ね状態が、第１図に示されている。」（３頁右上欄４〜１９行） 
（ｄ）「面８と１０とは、一緒になって、壁部分Ａの内部に連続的な周囲Ｖ字断面形溝を画定し、面１４と１６とは、一緒になって、壁部分Ｂの外部に連続的な周囲リブを画定する。このリブは、底壁２にすぐ隣接している。 
　面１２は、側壁４の内部段上にある平坦な上向き面である。」（３頁左下欄２〜８行） 
（ｅ）「面１８は、底壁の平坦外面の一部をなす。 
　組合せられた状態において、面１２および１８は、連続的な環状帯域にわたり相互係合関係にあり、よって同時にシールおよび全体的な支持部を与える。」（３頁左下欄１０〜１５行） 
（ｆ）「同時に、面８と１４とは、相互係合関係にあり、予定された軸方向の分離力が２つのカップに加えられない限りカップが相互間に離れる軸方向変移に対する抑制を与える。」（３頁右下欄２〜５行） 
（ｇ）「第４図は、別の構造を示し、壁部分Ａは、内部リブ３６、３８を有し、壁部分Ｂは、外部リブ４０、４２を有する。使用に際し、面３８、４２は、協働して面８、１４と同様な機能を果たす。・・・ 
　第５図は、第１、２および３図に示す構造に似た構造を示しているが、リブ１４ａ、１６ｂが周囲で断続していることが異なる。・・・ 
　さらに、第５図では（および第６図の詳細図では）、側壁は、面８の近傍で厚みが増加されているので、実際上、面８は、同時的に、内部溝の上方面と、上方面４４を有する内部リブの下方面とである。組立てられた状態において、面４４は、働きを示さないが、組立て中にリブ部１４ａ、１６ｂのための送り込み（ｌｅａｄ−ｉｎ）として働く。」（４頁左下欄９行〜右下欄６行） 
　
ｅ．甲５（申立人意見書に添付された甲第５号証） 
（ａ）１／１１頁には、以下の記載事項が記載されている。 
《記載事項》 
「試験成績書」、「依頼品名　検甲第１号証　形状、寸法測定」、「依頼事項　その他の依頼試験　Ｘ線ＣＴ三次元測定器による形状測定　その他の試験　形状測定データの解析」 
（ｂ）２／１１頁には、図１として以下の写真が掲載されるとともに、以下の記載事項が記載されている。 
《写真》 
「「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字された部分と、当該部分の上部に、「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、前記領域の右下部分に「たっぷり１８０ｇ」との文字が表示され、前記領域の右上部分に「Ｎｅｗ」との文字が表示されたもの」の写真 
《記載事項》 
「〇検甲第１号証　測定対象の写真を以下に示す。」 
（ｃ）３／１１頁には、図２として以下の写真が掲載されている。 
《写真》 
「「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、前記領域の右上部分に「たっぷり１８０ｇ」との文字が表示されたもの」の写真 
（ｄ）４／１１頁には、図４として以下の写真が掲載されている。 
《写真》 
「左側部分にブルーベリーの実等が印字され、右側部分に横書きかつ上下方向に「４９７２　０５３２」との文字が印字されたもの」の写真 
（ｅ）９／１１頁には、以下の記載事項が記載されている。 
「線１：任意に抽出した下端部からの点群から得られる最小二乗直線 
　線２：Ｚ＝１５ｍｍ以上の位置より任意に抽出した点群から得られる最小二乗直線 
　線３：Ｚ＝１５ｍｍ以上の位置より任意に抽出した点群から得られる最小二乗直線 
　線４：線２と線３の交点から線１へ下ろした直線（Ｚ軸） 
　原点：線１と線４の交点」 
「９．８°（線３と線４の交差角度）」 
（ｆ）１０／１１頁には、以下の記載事項が記載されている。 
「線５：Ｚ＝１．２５ｍｍ近傍からＺ＝８．２５ｍｍ近傍までの位置より任意に抽出した点群から得られる最小二乗直線 
線６：線３と線５の間の区間から任意に抽出した点群から得られる最小二乗直線」 
「６．５°（線６と線４の交差角度）」 
「６．０°（線５と線４の交差角度）」 
（ｇ）１１／１１頁には、以下の記載事項が記載されている。 
「線７：点１（Ｚ＝０ｍｍ）と点２（Ｚ＝１５ｍｍ）とを結ぶ直線」 
「６．８°（線７と線４の交差角度）」 
　
ｆ．甲６（申立人意見書に添付された甲第６号証） 
　甲６の１頁には、以下の写真が掲載されるとともに、以下の記載事項が記載されている。 
《写真》 
「「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、前記領域の右上部分に「たっぷり１８０ｇ」との文字が表示された部分と、当該部分の上部に、「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、前記領域の右下部分に「たっぷり１８０ｇ」との文字が表示され、前記領域の右上部分に「Ｎｅｗ」との文字が表示されたもの」の写真 
《記載事項》 
「プレスリリース」、「本場ブルガリアの乳酸菌で作った脂肪０タイプのフルーツヨーグルト「明治ブルガリアヨーグルト　脂肪０（１８０ｇ）」シリーズ　ブルーベリー・・・新発売」、「２０１２／０４／０６」、「株式会社　明治（・・・）は、健康的な・・・１８０ｇに仕立てた、「明治ブルガリアヨーグルト　脂肪０　ブルーベリー」・・・（各１８０ｇ）を４月１７日から、・・・を４月２４日から、それぞれ全国で販売します。」 
　
ｇ．甲８（申立人意見書に添付された甲第８号証） 
（ａ）１頁には、「２０１３　商品のご案内 product catalog」及び「明日をもっとおいしく　ｍｅｉｊｉ」と記載されている。 
（ｂ）２頁には、「ＩＮＤＥＸ　目次」及び「２０１３年４月現在　※パッケージ・商品情報は変更の可能性がございます。」と記載されている。 
（ｃ）２６頁（右下隅に「２６」と表記されている頁）の左下部分には、以下の写真が掲載されるとともに、以下の記載事項が記載されている。 
《写真》 
「「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、当該部分の上部に、「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、前記領域の右下部分に「コク・・・（合議体注：“・・・”は不鮮明につき判読不明な文字）」との文字が表示されたもの」の写真 
《記載事項》 
「明治　ブルガリアヨーグルト　脂肪０ブルーベリー」、「４９７２　０５３２」 
　
ｈ．甲９（申立人意見書に添付された甲第９号証） 
（ａ）１頁には、「２０１４　商品のご案内 product catalog」及び「明日をもっとおいしく　ｍｅｉｊｉ」と記載されている。 
（ｂ）２頁には、「ＩＮＤＥＸ　目次」及び「２０１４年４月現在　※パッケージ・商品情報は変更の可能性がございます。」と記載されている。 
（ｃ）２６頁（右下隅に「２６」と表記されている頁）の右中部分には、以下の写真が掲載されるとともに、以下の記載事項が記載されている。 
《写真》 
「「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、当該部分の上部に、「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、前記領域の右下部分に、上記ブルーベリーの実とは別のブルーベリーの実の一房が印字されたもの」の写真 
《記載事項》 
「Ｒｅ」、「明治　ブルガリアヨーグルト　脂肪０ブルーベリー」、「４９７２　０５３２」 
　
ｉ．甲１０（申立人意見書に添付された甲第１０号証） 
（ａ）１頁には、「２０１５　商品のご案内 product catalog」及び「明日をもっとおいしく　ｍｅｉｊｉ」と記載されている。 
（ｂ）２頁には、「ＩＮＤＥＸ　目次」及び「２０１５年４月現在　※パッケージ・商品情報は変更の可能性がございます。」と記載されている。 
（ｃ）３頁（左下隅に「０３」と表記されている頁）の中央右寄り部分には、以下の写真が掲載されるとともに、以下の記載事項が記載されている。 
《写真》 
「「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、当該部分の上部に、「明治　ブルガリア　ヨーグルト　脂肪ゼロ」との文字が表示された白い楕円領域であって、青色曲線が前記領域の内側に向け段階的に薄くなっており、前記領域の下部に「ブルーベリー」との文字が表示された紫色帯とブルーベリーの実が印字され、前記領域の右下部分に、上記ブルーベリーの実とは別のブルーベリーの実の一房が印字されたもの」の写真 
《記載事項》 
「明治　ブルガリアヨーグルト　脂肪０ブルーベリー」、「４９７２　０５３２」 
　
（イ）検甲１発明 
　検甲１製品を撮影した写真の報告書である甲１の（写真１）〜（写真１０）及び検甲１製品の形状に関する測定結果の報告書である甲３並びに甲５をみると、検甲１製品の構造等について、以下の事項が把握される。 
ａ．（写真４）からみて、以下の図Ａに示すように、検甲１製品は、平面状の底面と、当該底面の一方の面側に突出した上側側面と、前記底面の他方の面側に突出した下側側面とからなり、前記底面の縁に沿って無端状に連続する側面壁を有していること。 
　なお、各部品名は、本件特許異議申立書の記載をもとに付した。 
《図Ａ》　（写真４）に部品名を付した図 
　
　
ｂ．（写真５）からみて、以下の図Ｂに示すように、検甲１製品は、前記底面と、前記側面壁の上側側面との間に凹部を形成していること。 
「ブルガリアヨーグルト」等の印刷が付されている検甲１製品（（写真１）等を参照。）は、ヨーグルトを収容するための容器であり、前記凹部は、前記ヨーグルトを収容するためのものであることが明らかであること。 
《図Ｂ》　（写真５）に部品名を付した図 
　
　
ｃ．（写真３）からみて、以下の図Ｃに示すように、検甲１製品は、前記側面壁の下側側面の角部分の先端側に、外側へ突出し、前記側面壁の周方向へ延在する第１の突起部を有しており、前記第１の突起部は、前記底面に対して、前記凹部とは反対側に存在する前記下側側面の先端側に設けられていること。 
《図Ｃ》　（写真３）に部品名を付した図 
　
　
ｄ．（写真５）からみて、以下の図Ｄに示すように、検甲１製品は、前記側面壁の内面の角部分の下部に、前記側面壁の周方向へ延在する第２の突起部を有していること。 
《図Ｄ》　（写真５）に部品名を付した図 
　
　
ｅ．（写真１）及び（写真３）からみて、検甲１製品は、下部（前記底面の存在する側）から上部に向けて拡径する逆台形形状であること。 
　（写真７）からみて、前記第１の突起部は、検甲１製品の最下端から約２ｍｍの位置に設けられていること。 
　（写真８）からみて、前記第２の突起部は、前記底面から約３ｍｍの位置に設けられていること。 
　
ｆ．（写真４）からみて、以下の図Ｅに示すように、検甲１製品では、前記底面が、いわゆる底上げ状態となっており、前記底面と前記下側側面の先端との間には隙間が形成されていること。 
《図Ｅ》　（写真４）に部品名を付した図 
　
　
ｇ．甲３の１頁には「依頼品　賞味期限　１２．５．３　ヨーグルトサンプル　（４９７２　０５３２）」と記載されていること及び甲１の（写真１）、（写真２）及び（写真４）から把握される事項（上記第３．（３）ア．（ア）ａ．（ｂ）を参照）並びに甲３の２頁掲載された写真（左側）（上記第３．（３）ア．（ア）ｃ．を参照）からみて、甲３は、検甲１製品の形状及び寸法を測定した結果を示すこと。 
　甲３の図２及び２頁の記載事項からみて、検甲１製品の側面壁は、下側側面側の端部（側面壁の最下端）から高さ１５．０１ｍｍの位置までの概略一定角度範囲の部分を基準とした場合、前記高さ１５．０１ｍｍの位置から先の部分が、前記基準とした部分に対して相対的に角度３．４４°で傾斜が変化し、前記容器の外側方向に拡がっていること、すなわち、前記側面壁には、高さ１５．０１ｍｍの地点で傾斜角が前記地点までの概略一定角度範囲（下側傾斜角設定範囲）の部分に対し、３．４４°変更された傾斜角変更点が設けられ、前記地点よりも先の範囲（上側傾斜角設定範囲）は、前記下側傾斜各設定範囲の傾斜角よりも、容器の外側方向に３．４４°拡がった傾斜角が設定されていること。 
 　 
ｈ．（写真７）からみて、検甲１製品の全高は約６６ｍｍであり、上記したように、前記第２の突起部は、前記底面から約３ｍｍの位置に設けられていることを踏まえると、第２の突起部の容器上端からの距離は約５３ｍｍ（＝５６ｍｍ−３ｍｍ）であって、容器最下端からの高さは約１３ｍｍ（＝６６ｍｍ−５３ｍｍ）であり、前記第２の突起部は、前記下側傾斜角設定範囲に設けられていること。 
　
ｉ．甲５の１／１１頁には「試験成績書」、「依頼品名　検甲第１号証　形状、寸法測定」、「依頼事項　その他の依頼試験　Ｘ線ＣＴ三次元測定器による形状測定　その他の試験　形状測定データの解析」と記載されていること、甲１の（写真１）、（写真２）及び（写真４）から把握される事項（上記第３．（３）ア．（ア）ａ．（ｂ）を参照）、甲５の２／１１頁及び３／１１頁に掲載された写真（上記第３．（３）ア．（ア）ｅ．を参照）からみて、甲５は、検甲１製品の形状及び寸法を測定した結果を示すこと。 
　甲５に記載された「線２」及び「線３」、「線５」〜「線７」は、各々、検甲１製品の「側面壁」の「上側傾斜角設定範囲」、「側面壁」の「下側傾斜角設定範囲」に対応するものであり、検甲１製品の「側面壁」の「上側傾斜角設定範囲」における傾斜角は「９．８°」であり、同製品の「側面壁」の「下側傾斜角設定範囲」における傾斜角は「６．０〜６．８°の範囲内」にあること。 
　
ｊ．甲１の（写真３）〜（写真６）を総合的にみると、上記「第１の突起」は、周面壁の下側側面に４箇所ある角部に設けられ、上記「第２の突起」は、周面壁の内面に４箇所ある角部分の下部に設けられていること。 
　
　上記ａ．〜ｊ．の事項を、整理すると検甲１製品から、以下の検甲１発明が把握される。 
《検甲１発明》 
「平面状の底面と、 
　当該底面の一方の面側に突出した上側側面と、前記底面の他方の面側に突出した下側側面とからなり、前記底面の縁に沿って無端状に連続する側面壁を有し、
　前記側面壁の上側側面との間に、ヨーグルトを収容するための凹部を形成しており、 
　前記側面壁の下側側面に４箇所ある角部分の先端側に、外側へ突出し、前記側面壁の周方向へ延在する第１の突起部を有しており、前記第１の突起部は、前記底面に対して、前記凹部とは反対側に存在する前記下側側面の先端側に設けられており、 
　下部（前記底面の存在する側）から上部に向けて拡径する逆台形形状であり、 
　前記側面壁の内面に４箇所ある角部分の下部に、前記側面壁の周方向へ延在する第２の突起部を有しており、 
　前記底面と前記下側側面の先端との間には隙間が形成されており、 
　前記側面壁には、高さ１５．０１ｍｍの地点で傾斜角が前記地点までの概略一定角度範囲（下側傾斜角設定範囲）の部分に対し、３．４４°変更された傾斜角変更点が設けられ、前記地点よりも先の範囲（上側傾斜角設定範囲）は、前記下側傾斜角設定範囲の傾斜角よりも、容器の外側方向に３．４４°拡がった傾斜角が設定されており、 
　前記第２の突起部は、前記下側傾斜角設定範囲に設けられており、 
　前記上側傾斜角設定範囲の傾斜角は９．８°であり、 
　前記下側傾斜角設定範囲の傾斜角は６．０°〜６．８°の範囲内である、
　容器」 
　
（ウ）検甲１発明の本件特許出願前の公然実施性 
　甲１の（写真１）、（写真２）及び（写真４）から把握される事項（上記３．（３）ア．（ア）ａ．（ｂ）を参照）を踏まえると、検甲１製品に表示されているデザインは、甲２に掲載された写真に表示されているデザイン（上記３．（３）ア．（ア）ｂ．（ｃ）を参照）及び甲６に掲載された写真に表示されているデザイン（上記３．（３）ア．（ア）ｆ．）と同じであると推認される。 
　そして、例えデザインが同じであっても、検甲１製品の容器構造と前記甲２に掲載された写真に示されたものや甲６に掲載された写真に示されたものの容器構造が異なることを示す証拠、すなわち、上記推認を覆す証拠等は示されていない。 
　ゆえに、検甲１製品は、甲２である「２０１２　商品のご案内 product catalog」の２７頁に記載された「明治　ブルガリアヨーグルト　脂肪０ブルーベリー」なる製品及び２０１２年４月６日付けプレスリリースと解される甲６の１頁に記載された（上記３．（３）ア．（ア）ｆ．を参照）「明治　ブルガリアヨーグルト　脂肪０ブルーベリー」なる製品であって、甲２及び甲６により、少なくとも本件特許の出願前である２０１２年４月時点で、公然と譲渡等の申出がなされていた製品であり、検甲１発明は、前記甲２及び甲６により、本件特許の出願前に公然と譲渡等の申出がなされていた発明であると解するのが自然である。 
　
　なお、特許権者は、特許権者意見書において、（ウェブ資料１）及び（ウェブ資料２）を示し、ＪＡＮコード「４９７２　０５３２」及び製品名「明治ブルガリアヨーグルト　脂肪０　ブルーベリー」が同じであっても、検甲１製品の容器体と、甲２の容器体とが同一であることは立証できないから、検甲１発明は本件特許の出願前に公然実施された発明であるとはいえない旨を主張する。 
　しかしながら、上記したように、検甲１発明が本件特許出願前に公然実施されていたことは、検甲１製品に表示されているデザインと、甲２に掲載された写真に表示されているデザインとが同じであると推認され、この推認を覆す証拠等が示されていないことを判断の根拠としており、検甲１製品のＪＡＮコード「４９７２　０５３２」及び製品名「明治ブルガリアヨーグルト　脂肪０　ブルーベリー」の共通性を判断の根拠にしているわけではない。 そして、（ウェブ資料１）及び（ウェブ資料２）に掲載された写真は、「「明治　ブルガリア　ヨーグルト　脂肪ゼロ」との文字が表示された楕円領域であって、前記領域の下部に「ブルーベリー」との文字が表示された帯とブルーベリーの実が印字され、当該部分の上部に、「明治　ブルガリア　ヨーグルト　脂肪ゼロ」との文字が表示された楕円領域であって、前記領域の下部に「ブルーベリー」との文字が表示された帯とブルーベリーの実が印字され、前記領域の右下部分に、上記ブルーベリーの実とは別のブルーベリーの実の一房が印字されたもの」の写真であり、甲１０に掲載された写真（上記３．（３）ア．（ア）ｉ．（ｃ）を参照）と同じデザインが表示されていると推認されるところ、（ウェブ資料２）の「購入場所　２０１５年１０月　広島県／その他　２０１５年８月　北海道／イオン　２０１５年５月　北海道・・・」との記載、及び、甲１０は２０１５年の製品カタログであることを踏まえると、（ウェブ資料１）及び（ウェブ資料２）は、２０１５年５月〜１０月に購入可能であった製品「明治ブルガリアヨーグルト　脂肪０　ブルーベリー」の写真を示すにとどまり、検甲１製品が、甲２及び甲６に記載され、２０１２年に購入可能であった製品「明治ブルガリアヨーグルト　脂肪０　ブルーベリー」とは別の製品であることを推認させるものではない。 
　したがって、上記特許権者の主張は採用できない。 
　
（エ）本件発明１と検甲１発明との対比、相違点
　本件発明１と検甲１発明を対比する。 
　検甲１発明の「平面状の底面」、「側面壁」、「ヨーグルト」、「凹部」、「容器」は、各々、本件発明１の、「底面となる平面部」、「側面部」、「対象物」、「収容凹部」、「容器体」に相当する。  
　また、検甲１発明は、「前記側面壁の下側側面に４箇所ある角部分の先端側に、外側へ突出し、前記側面壁の周方向へ延在する第１の突起部を有しており、前記第１の突起部は、前記底面に対して、前記凹部とは反対側に存在する前記下側側面の先端側に設けられており」、「下部（前記底面の存在する側）から上部に向けて拡径する逆台形形状であり」、「前記側面壁の内面に４箇所ある角部分の下部に、前記側面壁の周方向へ延在する第２の突起部を有しており」、「前記底面と前記下側側面の先端との間には隙間が形成されて」いるところ、このような構造を有することは、容器を積み重ねるべく、同一の他の容器を前記凹部内に挿入した際に、「第２の突起部」は、他の容器の「第１の突起部」を乗り越えさせることにより当該「第１の突起部」と係合可能となるように設けられたものであって、「前記底面と前記下側側面の先端との間には隙間が形成されて」いることは、前記挿入によって重ね合わされた２つの容器の平面状の底面間に所定の隙間を設定して位置決めするためのものであると解することが、甲４の記載事項（上記３．（３）ア．（ア）ｄ．を参照）からみても、自然であるから、検甲１発明の「第１の突起部」、「第２の突起部」、「前記底面と前記下側側面の先端との間には隙間が形成されて」は、各々、本件発明１の「外面突起部」、「内面突起部」、「位置決め部を設け」に相当する。 
　そして、検甲１発明において、「高さ１５．０１ｍｍの地点で傾斜角が前記地点までの概略一定角度範囲（下側傾斜角設定範囲）」の「概略一定角度」は、「下側傾斜角設定範囲の傾斜角」の角度を意味すること、及び、「前記地点よりも先の範囲（上側傾斜角設定範囲）」に「設定される」、「前記下側傾斜角設定範囲の傾斜角よりも、容器の外側方向に３．４４°拡がった傾斜角」は、「上側傾斜角設定範囲の傾斜角」を意味することが、明らかであることを踏まえると、検甲１発明の「高さ１５．０１ｍｍの地点」、「前記地点までの概略一定角度範囲（下側傾斜角設定範囲）」、「下側傾斜角設定範囲の傾斜角」、「前記地点よりも先の範囲（上側傾斜角設定範囲）」、「上側傾斜角設定範囲の傾斜角」は、各々、本件発明１の「傾斜角変更部」、「前記傾斜角変更部より下」及び「下部傾斜角を設定した部分」、「下部傾斜角」、「前記傾斜角変更部より上」、「上部傾斜角」に相当し、さらに、検甲１発明の「高さ１５．０１ｍｍの地点で傾斜角が前記地点までの概略一定角度範囲（下側傾斜角設定範囲）の部分に対し、３．４４°変更された傾斜角変更点が設けられ」は、本件発明１の「前記傾斜角変更部の位置は、前記容器体の下端から高さ２０ｍｍ以下の範囲内にあり」に相当する。 
　してみると、本件発明１と検甲１発明との一致点、相違点は以下のとおりである。
《一致点》
　底面となる平面部と、 
　前記平面部の縁に沿って無端状に連続すると共に当該平面部との間で対象物を収容するための収容凹部を形成する側面部と、を備え、 
　前記側面部の外面の下部に、外側へ突出すると共に前記平面部の縁が伸びる方向へ延在された外面突起部を設け、 
　前記側面部の内面の下部であって、同一の他の容器体を前記収容凹部内に挿入して当該他の容器体の外面突起部を乗り越えさせることにより当該外面突起部と係合可能な内面突起部を設け、 
　さらに、前記挿入によって重ね合わされた２つの容器体の平面部間に所定の隙間を設定して位置決めする位置決め部を設け、 
　前記側面部に、前記側面部の傾斜角を変更させる傾斜角変更部を設け、 
　前記傾斜角変更部より下に下部傾斜角を設定し、 
　前記傾斜角変更部より上に上部傾斜角を設定し、 
　前記内面突起部を、前記下部傾斜角を設定した部分に設け、 
　前記傾斜角変更部の位置は、前記容器体の下端から高さ２０ｍｍ以下の範囲内にある 
　容器体。
　
《相違点》
　本件発明１は「前記下部傾斜角は、３°〜４°の範囲内にあり、かつ、前記上部傾斜角は、６°〜７°の範囲内にあり、かつ、前記上部傾斜角から前記下部傾斜角を差し引いた値は、３°〜４°の範囲内にある」のに対し、検甲１発明は「前記上側傾斜角設定範囲の傾斜角は９．８°であり、前記下側傾斜角設定範囲の傾斜角は６．０°〜６．８°の範囲内である」である点。
　
（オ）相違点の判断
　本件発明１における「上部傾斜角」及び「下部傾斜角」と、検甲１発明における「上側傾斜角設定範囲の傾斜角」及び「下側傾斜角設定範囲の傾斜角」は、各々、容器の「側面部」と「側面壁」の形状を規定する事項である。
　そして、検甲１発明における「上側傾斜角設定範囲の傾斜角」から「下側傾斜角設定範囲の傾斜角」を差し引いた値は、３．０°〜３．８°の範囲内となるところ、本件発明１における「上部傾斜角は、６°〜７°の範囲内にあり」、「下部傾斜角は、３°〜４°の範囲内にあり」及び「記上部傾斜角から前記下部傾斜角を差し引いた値は、３°〜４°の範囲内にある」により規定される容器の「側面部」の形状と、検甲１発明における「上側傾斜角設定範囲の傾斜角は９．８°であり」、「下側傾斜角設定範囲の傾斜角は６．０°〜６．８°の範囲内である」及び「上側傾斜角設定範囲の傾斜角」から「下側傾斜角設定範囲の傾斜角」を差し引いた値は、３．０°〜３．８°の範囲内となることにより規定される「側面壁」の形状とは、明らかに異なるから、上記相違点は、単なる表現上の差異等ではなく、実質的な相違点である。
　ゆえに、本件発明１は、検甲１発明であるとはいえない。
　
　そして、検甲１発明における「上側傾斜角設定範囲の傾斜角は９．８°」であること及び「下側傾斜角設定範囲の傾斜角は６．０°〜６．８°の範囲内である」ことは、上記３．（３）（ア）ｅ．で示したように、検甲１製品を実測した結果（甲５の記載事項）に基づくものであるところ、検甲１発明において、なぜ「上側傾斜角設定範囲の傾斜角は９．８°」とし、「下側傾斜角設定範囲の傾斜角は６．０°〜６．８°の範囲内である」としたのかということ、すなわち、これらの「傾斜角」がどのような技術的意図を持って設定されているのかは、甲１〜甲１０の記載事項や、申立人意見書１に添付された検甲第２号証（オリンピック版「明治ブルガリアヨーグルト　脂肪０　ブルーベリー」の容器）及び検甲第２号証の容器を写真撮影した報告書である甲第１１号証（中澤佳樹，「写真撮影報告書」，平成３０年７月１２日）の記載事項を参酌しても、不明であるといわざるを得ない。
　これに関し、申立人は、申立人意見書２において、検甲１発明における「上側傾斜角設定範囲の傾斜角」や「下側傾斜角設定範囲の傾斜角」の値の設定は設計的な事項であり、また、同書に添付された甲第１２号証（青葉堯，「本当によくわかる射出成形金型設計入門」，日刊工業新聞社，平成２２年７月１６日，１６５〜１７２頁。以下「甲１２」という。）、甲第１３号証（岡達，「プラスチック射出成形の基礎＜その３＞」，技能と技術，２／２０００，５２〜５８頁。以下「甲１３」という。）、甲第１４号証（岡達，「プラスチック射出成形の基礎＜その３＞」，技能と技術，社団法人雇用問題研究会，平成１２年３月１日，２／２０００　Ｖｏｌ．３５，５２〜５８頁。以下「甲１４」という。）、甲第１５号証（特開２００４−１７４７１４号公報。以下「甲１５」という。）及び甲第１６号証（特開２００７−２７６８００号公報。以下「甲１６」という。）の記載事項を組み合わせることにより、容易になし得た事項である旨を主張している。
　確かに、甲１２や甲１４に掲載されていた甲１３には、「抜き勾配が３°及び４°」の例が記載され、甲１５には、射出成形金型を用いてコップのような底の深い容器のように立体的な形状を有する成形品の成形技術が記載され、甲１６には、「胴部３の傾き角度θ１が６°」であることが記載されている。
　しかしながら、そもそも、検甲１発明において、「上側傾斜角設定範囲の傾斜角」及び「下側傾斜角設定範囲の傾斜角」がどのようような技術的意図をもって設定されているのかが不明である以上、これらの傾斜角の値を変更することが設計的事項といえるのかも不明というべきであり、さらに、甲１２〜甲１６の記載事項を参酌しても、これらの傾斜角の値を変更する動機付けがあるとは到底いえない。
　したがって、検甲１発明における「上側傾斜角設定範囲の傾斜角」を「６°〜７°の範囲内」の値とし、「下側傾斜角設定範囲の傾斜角」を「３°〜４°の範囲内」の値とし、前記「上側傾斜角設定範囲の傾斜角」から「下側傾斜角設定範囲の傾斜角」を差し引いた値が「３°〜４°の範囲内にある」ように変更することは、当業者が容易になし得たことであるとはいえない。
　
（カ）まとめ 
　以上のとおり、本件発明１は、検甲１発明であるとはいえず、また、検甲１発明に基いて当業者が容易に発明をすることができたものであるともいえない。
　
イ．本件発明３〜６について
　本件発明１の発明特定事項の全てを発明特定事項とし、さらに、技術的な限定を加える事項を発明特定事項としている、本件発明３は、上記３．（３）ア．で示した理由と同様の理由により、検甲１発明に基いて当業者が容易に発明をすることができたものであるとはいえない。
　また、本件発明１の発明特定事項の全てを発明特定事項とし、さらに、技術的な限定を加える事項を発明特定事項としている、本件発明４〜６は、上記３．（３）ア．で示した理由と同様の理由により、検甲１発明であるとはいえず、また、検甲１発明に基いて当業者が容易に発明をすることができたものであるともいえない。
　したがって、理由１及び２によって、本件発明３〜６に係る特許を取り消すことはできない。
　
（４）小括 
　以上のとおり、本件発明１、４〜６は、特許法第２９条第１項第２号に該当せず、また、本件発明１、３〜６は、同法同条第２項の規定に違反して特許されたものではないから、本件発明１、３〜６に係る特許は、同法第１１３条第２号の規定に該当することを理由に取り消されるべきものとすることはできない。 
　
４．むすび 
　以上のとおりであるから、取消理由通知に記載した取消理由によっては、本件発明１、３〜６に係る特許を取り消すことはできない。
　また、他に本件発明１、３〜６に係る特許を取り消すべき理由も発見しない。
　そして、本件特許の請求項２は、本件訂正が認められることにより、削除されたため、本件特許の請求項２についての特許異議の申立ては、その対象が存在しないものとなった。
　よって、本件特許の請求項２についての特許異議の申立ては、不適法であって、その補正をすることができないものであるから、特許法第１２０条の８で準用する同法第１３５条の規定により、却下すべきものである。
　したがって、結論のとおり決定する。 
【異議決定日】
平成３１年２月１４日（２０１９．２．１４）
【訂正の要旨】
審決（決定）の【理由】欄参照。
（５７）【特許請求の範囲】
　【請求項１】
　底面となる平面部と、
　前記平面部の縁に沿って無端状に連続すると共に当該平面部との間で対象物を収容するための収容凹部を形成する側面部と、を備え、
　前記側面部の外面の下部に、外側へ突出すると共に前記平面部の縁が伸びる方向へ延在された外面突起部を設け、
　前記側面部の内面の下部であって、同一の他の容器体を前記収容凹部内に挿入して当該他の容器体の外面突起部を乗り越えさせることにより当該外面突起部と係合可能な内面突起部を設け、
　さらに、前記挿入によって重ね合わされた２つの容器体の平面部間に所定の隙間を設定して位置決めする位置決め部を設け、
　前記側面部に、前記側面部の傾斜角を変更させる傾斜角変更部を設け、
　前記傾斜角変更部より下に下部傾斜角を設定し、
　前記傾斜角変更部より上に上部傾斜角を設定し、
　前記内面突起部を、前記下部傾斜角を設定した部分に設け、
　前記傾斜角変更部の位置は、前記容器体の下端から高さ２０ｍｍ以下の範囲内にあ
り、
　
前記下部傾斜角は、３°〜４°の範囲内にあり、かつ、前記上部傾斜角は、６°〜７°の範囲内にあり、かつ、前記上部傾斜角から前記下部傾斜角を差し引いた値は、３°〜４°の範囲内にある
　ことを特徴とする容器体。
　【請求項２】（削除）
　【請求項３】
　前記外面突起部及び前記内面突起部は、前記平面部の縁に沿って無端状に連続して形成された一つの連続突起部である
　ことを特徴とする請求項
１
　【請求項４】
　前記外面突起部及び前記内面突起部は、前記平面部の縁に沿って適当な長さに延在されて形成された二以上の部分突起部である
　ことを特徴とする請求項
１
　【請求項５】
　前記外面突起部及び前記内面突起部の断面形状は、任意の曲率半径を有する半円形突起、円弧状突起又は三角形突起からなる
　ことを特徴とする請求項
１、３、又は４
　【請求項６】
　前記側面部は、前記平面部の前記収容凹部と反対側に突出するスカート部を有し、
　前記スカート部の先端側に前記外面突起部を設けた
　ことを特徴とする請求項
１、３、４、又は５